(57)【要約】  バックライトの光量を低下させた場合の表示画像のちらつきを低減することを可能とする表示装置及びその制御方法、並びにファインダ装置を提供する。  ファインダの表示装置は、液晶パネル（５０）、バックライト（５１）、光源駆動部（５５）を備える。バックライト（５１）は、第１〜第６光源（Ｌ１〜Ｌ６）が側部に配置された導光体を有する。光源駆動部（５５）は、第１及び第５光源（Ｌ１，Ｌ５）を第１サブ光源群（ＳＬ１）とし、第２及び第６光源（Ｌ２，Ｌ６）を第２サブ光源群（ＳＬ２）とし、第３及び第４光源（Ｌ３，Ｌ４）を第３サブ光源群（ＳＬ３）とし、第１〜第３サブ光源群（ＳＬ１〜ＳＬ３）に対して、それぞれ異なるタイミングで周期的に駆動パルスを供給する。光源駆動部（５５）は、駆動パルスのパルス幅Ｗを変更することにより光源群の光量を制御する。
2015141273.tif 000002
【特許請求の範囲】
【請求項１】
液晶パネルと、
Ｍ個の光源からなる光源群が側部に配置された導光体を有し、前記液晶パネルに光を照射するバックライトと、
前記光源群から選択された前記Ｍ個より少ないＮ個の前記光源をサブ光源群とし、前記Ｎ個の光源の組み合わせが互いに異なる複数の前記サブ光源群に対して、それぞれ異なるタイミングで駆動パルスを供給する光源駆動部と、
を備える表示装置。
【請求項２】
前記光源駆動部は、前記駆動パルスのパルス幅を変更することにより、前記各サブ光源群の光量を変更する請求項１に記載の表示装置。
【請求項３】
前記液晶パネルに供給される映像信号に基づき映像の明るさを検出する明るさ検出部を備え、
前記光源駆動部は、前記明るさ検出部により検出された前記明るさに応じて、前記光量を変更する請求項２に記載の表示装置。
【請求項４】
前記光源駆動部は、前記映像の明るさが暗いほど、前記光量を低下させる請求項３に記載の表示装置。
【請求項５】
前記光源駆動部は、前記各サブ光源群に対して前記駆動パルスを一定の周期で供給する請求項４記載の表示装置。
【請求項６】
前記光源駆動部は、前記光量を最大とする場合に、前記駆動パルスのパルス幅を前記周期に一致させる請求項５に記載の表示装置。
【請求項７】
前記バックライトには、前記導光体が複数設けられており、
前記明るさ検出部は、前記映像信号に基づいて前記各導光体に対応する領域の明るさを検出し、
前記光源駆動部は、前記明るさ検出部により検出された前記明るさに応じて、前記導光体毎に前記光量を変更する請求項３に記載の表示装置。
【請求項８】
前記映像信号の輝度情報を、前記光量の変更量に応じてゲイン補正する映像信号補正部と、
前記映像信号補正部によりゲイン補正された前記映像信号に基づいて前記液晶パネルを駆動する液晶駆動部と、
を備える請求項３に記載の表示装置。
【請求項９】
前記各サブ光源群に含まれる前記光源は、同一の共通配線に接続されており、
前記光源駆動部は、前記共通配線に前記駆動パルスを供給する請求項１に記載の表示装置。
【請求項１０】
前記各サブ光源群が接続された前記共通配線は、互いに信号遅延回路を介して接続されており、
前記光源駆動部から供給された１つの前記駆動パルスが前記信号遅延回路により遅延されて前記各サブ光源群に供給される請求項９に記載の表示装置。
【請求項１１】
前記Ｍ個の光源は、前記導光体の対向する２つの側部に配置されており、
対向する２つの前記光源は、同一の前記サブ光源群には含まれていない請求項１から１０いずれか１項に記載の表示装置。
【請求項１２】
前記Ｍ個の光源は、前記導光体の１つの側部に配置されており、
隣接する２つの前記光源は、同一の前記サブ光源群には含まれていない請求項１から１０いずれか１項に記載の表示装置。
【請求項１３】
液晶パネルと、
Ｍ個の光源からなる光源群が側部に配置された導光体を有し、前記液晶パネルに光を照射するバックライトと、
前記光源群から選択された前記Ｍ個より少ないＮ個の前記光源をサブ光源群とし、前記Ｎ個の光源の組み合わせが互いに異なる複数の前記サブ光源群に対して、それぞれ異なるタイミングで駆動パルスを供給する光源駆動部と、
を備えるファインダ装置。
【請求項１４】
液晶パネルと、Ｍ個の光源からなる光源群が側部に配置された導光体を有し、前記液晶パネルに光を照射するバックライトと、前記光源群を駆動する光源駆動部と、を備える表示装置の制御方法において、
前記光源駆動部を制御し、前記光源群から選択された前記Ｍ個より少ないＮ個の前記光源をサブ光源群とし、前記Ｎ個の光源の組み合わせが互いに異なる複数の前記サブ光源群に対して、それぞれ異なるタイミングで駆動パルスを供給させる表示装置の制御方法。
【発明の詳細な説明】
【技術分野】
【０００１】
本発明は、エッジライト方式のバックライトを有する表示装置及びその制御方法、並びにファインダ装置に関する。
【背景技術】
【０００２】
液晶表示装置は、液晶パネルと、バックライトとにより構成されている。バックライトは、液晶パネルの背面に配置され、液晶パネルに光を照射する。近年では、液晶表示装置の薄型化を図るために、エッジライト方式のバックライトが広く用いられている。このエッジライト方式のバックライトは、導光体と、導光体の側部に沿って配置された複数の光源とで構成されている。各光源から射出された光は、導光体に入射し、導光体から液晶パネルに向けて面状に射出される。【０００３】
導光体は、液晶パネルに対して１つまたは複数設けられている。光源の光量は、導光体毎に制御される。具体的には、映像の暗い部分に対応する導光体の輝度を下げるように光源の光量制御が行われ、その光量制御に合わせて映像信号の輝度を補正する処理が行われる（特許文献１参照）。この結果、映像の暗い部分は、表示画像の明るさがほぼ一定のままコントラストが改善し、かつバックライトが低消費電力化される。これは、ディミング制御と呼ばれている。特に、複数の導光体の輝度を個別に制御するものは、ローカルディミング制御と呼ばれている。【０００４】
特許文献１では、１つの導光体に対して設けられた複数の光源（以下、光源群という）は、互いに直列または並列に接続されており、パルス幅変調（ＰＷＭ）調光信号により周期的に駆動される。ＰＷＭ調光信号のパルス幅を変更する（すなわち、デューティ比を変更する）ことにより、光源群の光量が制御される。【０００５】
また、エッジライト方式のバックライトを有する液晶表示装置を、デジタルカメラ等の撮影装置に搭載された電子ビューファインダ装置内の表示装置として用いることが知られている（特許文献２参照）。
【先行技術文献】
【特許文献】
【０００６】
【特許文献１】国際公開第２０１１／０４２９９９号
【特許文献２】特開２０１３−００９１６０号公報
【発明の概要】
【発明が解決しようとする課題】
【０００７】
特許文献１に記載の表示装置では、導光体の輝度を下げるためには、導光体に対して設けられた光源群に供給するＰＷＭ調光信号のパルス幅が短く設定される。このようにＰＷＭ調光信号のパルス幅が短くなると、光源群に含まれる全ての光源が、１周期内の短時間に同時点灯する。したがって、特許文献１に記載の表示装置では、バックライトの光量を低下させた場合に、表示装置の表示画像にちらつきが生じるという問題が生じる。【０００８】
特に、電子ビューファインダ装置内の表示装置は、カメラ本体内の暗い環境下で画像表示を行うため、表示画像のちらつきは、撮影者に視認されやすく、撮影者に違和感を与える恐れがある。【０００９】
本発明は、バックライトの光量を低下させた場合の表示画像のちらつきを低減することを可能とする表示装置及びその制御方法、並びにファインダ装置を提供することを目的とする。
【課題を解決するための手段】
【００１０】
上記目的を達成するため、本発明の表示装置は、液晶パネルと、バックライトと、光源駆動部とを備える。バックライトは、Ｍ個の光源からなる光源群が側部に配置された導光体を有し、液晶パネルに光を照射する。光源駆動部は、光源群から選択されたＭ個より少ないＮ個の光源をサブ光源群とし、Ｎ個の光源の組み合わせが互いに異なる複数のサブ光源群に対して、それぞれ異なるタイミングで駆動パルスを供給する。【００１１】
光源駆動部は、駆動パルスのパルス幅を変更することにより、各サブ光源群の光量を変更することが好ましい。【００１２】
液晶パネルに供給される映像信号に基づき映像の明るさを検出する明るさ検出部を備える。光源駆動部は、明るさ検出部により検出された明るさに応じて、光量を変更することが好ましい。光源駆動部は、映像の明るさが暗いほど、光量を低下させることが好ましい。【００１３】
光源駆動部は、各サブ光源群に対して駆動パルスを一定の周期で供給することが好ましい。光源駆動部は、光量を最大とする場合に、駆動パルスのパルス幅を周期に一致させることが好ましい。【００１４】
バックライトには、導光体が複数設けられている。明るさ検出部は、映像信号に基づいて各導光体に対応する領域の明るさを検出する。光源駆動部は、明るさ検出部により検出された明るさに応じて、導光体毎に光量を変更することが好ましい。【００１５】
映像信号補正部と液晶駆動部とを備える。映像信号補正部は、映像信号の輝度情報を、光量の変更量に応じてゲイン補正する。液晶駆動部は、映像信号補正部によりゲイン補正された映像信号に基づいて液晶パネルを駆動する。【００１６】
各サブ光源群に含まれる光源は、同一の共通配線に接続されている。この場合、光源駆動部は、共通配線に駆動パルスを供給することが好ましい。【００１７】
各サブ光源群が接続された共通配線は、互いに信号遅延回路を介して接続されている。この場合、光源駆動部から供給された１つの駆動パルスが信号遅延回路により遅延されて各サブ光源群に供給されることが好ましい。【００１８】
Ｍ個の光源は、導光体の対向する２つの側部に配置されている。この場合、対向する２つの光源は、同一のサブ光源群には含まれていないことが好ましい。【００１９】
Ｍ個の光源は、導光体の１つの側部に配置しても良い。この場合には、隣接する２つの光源は。同一のサブ光源群には含まれていないことが好ましい。【００２０】
本発明のファインダ装置は、液晶パネルと、バックライトと、光源駆動部とを備える。バックライトは、Ｍ個の光源からなる光源群が側部に配置された導光体を有し、液晶パネルに光を照射する。光源駆動部は、光源群から選択されたＭ個より少ないＮ個の光源をサブ光源群とし、Ｎ個の光源の組み合わせが互いに異なる複数のサブ光源群に対して、それぞれ異なるタイミングで駆動パルスを供給する。【００２１】
本発明の表示装置の制御方法は、液晶パネルと、Ｍ個の光源からなる光源群が側部に配置された導光体を有し、液晶パネルに光を照射するバックライトと、光源群を駆動する光源駆動部とを備える表示装置の制御方法において、光源駆動部を制御し、光源群から選択されたＭ個より少ないＮ個の光源をサブ光源群とし、Ｎ個の光源の組み合わせが互いに異なる複数のサブ光源群に対して、それぞれ異なるタイミングで駆動パルスを供給させる。
【発明の効果】
【００２２】
本発明によれば、Ｍ個の光源からなる光源群から選択されたＭ個より少ないＮ個の光源をサブ光源群とし、Ｎ個の光源の組み合わせが互いに異なる複数のサブ光源群に対して、それぞれ異なるタイミングで駆動パルスを供給するので、バックライトの光量を低下させた場合の表示画像のちらつきを低減することができる。
【図面の簡単な説明】
【００２３】
【図１】デジタルカメラの正面図である。
【図２】デジタルカメラの背面側斜視図である。
【図３】デジタルカメラの電気的構成を示すブロック図である。
【図４】バックライトの構成を示す斜視図である。
【図５】バックライトの構成を示すブロック図である。
【図６】光源群を駆動する駆動パルスのタイミング図である。
【図７】光源群の光量の変更方法を説明するタイミング図である。
【図８】共通配線を介してサブ光源群を光源駆動部に接続する例を示す図である。
【図９】共通配線を互いに信号遅延回路を介して接続する例を示す図である。
【図１０】導光体の一方の側部にのみ光源を配置する例を示す図である。
【図１１】導光体を複数設ける例を示す図である。
【発明を実施するための形態】
【００２４】
図１及び図２において、デジタルカメラ１１は、カメラ本体１２、レンズ鏡筒１３、操作部１４、背面表示部１５、及びファインダ装置１６を備える。レンズ鏡筒１３は、カメラ本体１２の前面に設けられており、撮影レンズ１７を保持している。ファインダ装置１６は、光学ビューファインダ（ＯＶＦ）モードと、電子ビューファインダ（ＥＶＦ）モードとの切り替えが可能なハイブリッド型である。
【００２５】
操作部１４は、電源ボタン１８、レリーズボタン１９、モード選択ダイヤル２０、ファインダ切替レバー２１等を有している。電源ボタン１８は、デジタルカメラ１１の電源（図示せず）をオン／オフする際に操作される。レリーズボタン１９は、撮影を実行する際に操作される。モード選択ダイヤル２０は、デジタルカメラ１１の動作モードを切り替える際に操作される。ファインダ切替レバー２１は、ファインダ装置１６を、ＯＶＦモードとＥＶＦモードとの間で切り替える際に操作される。
【００２６】
レリーズボタン１９は、Ｓ１スイッチとＳ２スイッチとで構成された２段ストローク式のスイッチ（図示せず）を有する。デジタルカメラ１１は、レリーズボタン１９が押下（半押し）され、Ｓ１スイッチがオン状態となると、オートフォーカス（ＡＦ）動作等の撮影準備動作を行う。この状態からさらにレリーズボタン１９が押下（全押し）され、Ｓ２スイッチがオン状態となると、デジタルカメラ１１は撮影動作を行う。
【００２７】
デジタルカメラ１１の動作モードには、静止画撮影モード、動画撮影モード、再生モード等がある。静止画撮影モードでは、静止画像が取得される。動画撮影モードでは、動画像が取得される。再生モードでは、取得された各画像が背面表示部１５に再生表示される。背面表示部１５は、カメラ本体１２の背面に設けられており、各種撮影モードで取得された画像や、各種設定を行うためのメニュー画面を表示する。
【００２８】
ファインダ装置１６は、被写体の光学像を取り込むファインダ窓１６ａと、撮影者の眼が接眼されるファインダ接眼部１６ｂとを有している。ファインダ窓１６ａは、カメラ本体１２の前面側に設けられている。ファインダ接眼部１６ｂは、カメラ本体１２の背面側に設けられている。
【００２９】
また、ファインダ装置１６内には、ＥＶＦモード用の液晶表示装置（ＥＶＦＬＣＤ）４１（図３参照）が設けられている。ファインダ装置１６は、ＯＶＦモードの場合には、被写体の光学像をファインダ接眼部１６ｂに導き、ＥＶＦモードの場合には、ＥＶＦＬＣＤ２２の表示画像をファインダ接眼部１６ｂに導く。
【００３０】
ＥＶＦＬＣＤ４１は、動作モードが静止画撮影モードまたは動画撮影モードに設定された際に、撮影が実行されるまでの間、ライブビュー画像を表示する。撮影者は、ＥＶＦＬＣＤ４１に表示されるライブビュー画像をファインダ接眼部１６ｂから観察することにより、被写体の構図を決定することができる。
【００３１】
また、カメラ本体１２の底部には、後述する記録メディア４０（図３参照）を装着するためのスロット（図示せず）が設けられている。
【００３２】
図３において、レンズ鏡筒１３内には、撮影レンズ１７の光軸ＬＡに沿って、絞り３０と固体撮像素子３１とが設けられている。固体撮像素子３１には、撮影レンズ１７を通過し、絞り３０により光量が調整された被写体の光学像が入射する。
【００３３】
固体撮像素子３１は、例えば、ＲＧＢ方式のカラーフィルタを有する単板カラー撮像方式のＣＭＯＳ（Complementary Metal？Oxide？Semiconductor）型イメージセンサであり、２次元マトリクス状に配列された複数の画素（図示せず）により構成された受光面を有している。各画素は、光電変換素子を含んでおり、受光面に結像された光学像を光電変換して撮像信号を生成する。
【００３４】
また、固体撮像素子３１は、ノイズ除去回路、オートゲインコントローラ、Ａ／Ｄ（Analog-to-Digital）変換回路等の信号処理回路（いずれも図示せず）を有する。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して固体撮像素子３１から出力する。固体撮像素子３１の出力信号は、画素ごとに１つの色信号を有する画像データ（いわゆるＲＡＷデータ）である。
【００３５】
固体撮像素子３１は、モード選択ダイヤル２０により選択された撮影モードに応じて、主制御部３２により駆動制御される。
【００３６】
固体撮像素子３１及び主制御部３２は、バス３３に接続されている。この他、バス３３には、メモリ制御部３４、デジタル信号処理部３５、メディア制御部３６、第１表示制御部３７、及び第２表示制御部３８が接続されている。
【００３７】
メモリ制御部３４には、ＳＤＲＡＭ（Synchronous Dynamic Random Access Memory）等の一時記憶用のメモリ３９が接続されている。メモリ制御部３４は、固体撮像素子３１から出力された画像データをメモリ３９に入力して記憶させる。また、メモリ制御部３４は、メモリ３９に記憶された画像データを、デジタル信号処理部３５に出力する。
【００３８】
デジタル信号処理部３５は、メモリ３９から入力された画像データ（ＲＡＷデータ）に対して、欠陥補正処理、デモザイク処理、ガンマ補正処理、ホワイトバランス補正処理、ＹＣ変換処理等を行い、輝度信号Ｙと色差信号ＣとからなるＹＣ画像データを生成する。
【００３９】
メディア制御部３６は、記録メディア４０への画像ファイルの記録と、記録メディア４０からの画像ファイルの読み出しを制御する。記録メディア４０は、例えば、フラッシュメモリ等を内蔵したメモリカードである。
【００４０】
静止画撮影モードの場合には、画像ファイルとして、例えば、ＹＣ画像データをＪＰＥＧ規格等で圧縮した圧縮画像データが記録メディア４０に記録される。また、動画撮影モードの場合には、動画撮影により得られる複数フレームのＹＣ画像データをＭＰＥＧ−４規格等で圧縮した動画データが記録メディア４０に記録される。これらの圧縮処理は、デジタル信号処理部３５で行われる。なお、動画撮影モードの場合には、画像に加えて音声も取得して記録されるが、本実施形態では、音声の取得及び記録に関する構成については、説明を省略する。
【００４１】
第１表示制御部３７は、前述の背面表示部１５への画像表示を制御する。具体的には、第１表示制御部３７は、デジタル信号処理部３５により生成されたＹＣ画像データを、ＮＴＳＣ規格等に準拠した映像信号に変換して背面表示部１５に出力する。
【００４２】
第２表示制御部３８は、第１表示制御部３７と同様にＹＣ画像データを映像信号に変換し、ファインダ装置１６内に設けられたＥＶＦＬＣＤ４１に出力する。
【００４３】
ファインダ装置１６には、ファインダ窓１６ａとファインダ接眼部１６ｂとの間に、ＯＶＦシャッタ４２とプリズム４４とが設けられている。プリズム４４は、内部にハーフミラー４３が構成されている。ＯＶＦシャッタ４２は、液晶シャッタであり、ファインダ窓１６ａとプリズム４４との間に配置されている。
【００４４】
ＯＶＦシャッタ４２は、主制御部３２により制御され、ファインダ窓１６ａから入射する被写体の光学像を遮光してプリズム４４に入射させない「閉状態」と、該光学像をプリズム４４に入射させる「開状態」との間で切り替えられる。ハーフミラー４３は、光学像の光路と、ＥＶＦＬＣＤ４１に表示される表示画像の光路とに対して４５度の角度をなすように配置されている。
【００４５】
主制御部３２は、ファインダ切替レバー２１の操作に基づいて、ＯＶＦシャッタ４２の開閉制御と、ＥＶＦＬＣＤ４１の表示制御とを行うことにより、ファインダ装置１６を、ＯＶＦモードとＥＶＦモードとの間で切り替える。
【００４６】
ＯＶＦモードの場合には、ＯＶＦシャッタ４２が開状態とされ、ＥＶＦＬＣＤ４１が非表示とされることにより、ファインダ窓１６ａから入射した被写体の光学像がハーフミラー４３を通過してファインダ接眼部１６ｂに導かれる。ＥＶＦモードの場合には、ＯＶＦシャッタ４２が閉状態とされ、ＥＶＦＬＣＤ４１に被写体像の画像表示が行われることにより表示画像がハーフミラー４３で反射されてファインダ接眼部１６ｂに導かれる。このＥＶＦモード時には、ＥＶＦＬＣＤ４１に被写体のライブビュー画像表示が行われる。
【００４７】
また、ＯＶＦモードの場合に、ＥＶＦＬＣＤ４１に撮影情報等の情報表示を行うことにより、情報画像を被写体の光学像に重ねてファインダ接眼部１６ｂに導くことも可能である。
【００４８】
図４において、ＥＶＦＬＣＤ４１は、液晶パネル５０と、エッジライト方式のバックライト５１とを有する。液晶パネル５０は、複数の液晶セルを有する透過型液晶パネルである。バックライト５１は、平板矩形状の導光体５２と、光源群５３とで構成されている。光源群５３は、導光体５２の対向する２つの側部に沿って配置された複数の光源５３ａからなる。各光源５３ａは、発光ダイオードにより構成されている。
【００４９】
導光体５２は、光透過率の高い透明樹脂（メタクリル樹脂、アクリル樹脂、ポリカーボネート樹脂等）で形成されている。光源群５３が対向する導光体５２の側面は、光源５３ａから射出された光が入射する入射端面５２ａである。導光体５２の上面は、光を射出する射出面５２ｂである。この射出面５２ｂは、液晶パネル５０に対向しており、光を液晶パネル５０に面状に照射する。
【００５０】
導光体５２の射出面５２ｂとは反対側の底面には、反射シート（図示せず）が配置されている。この反射シートは、導光体５２の底面側に伝播した光を反射させて射出面５２ｂ側に導く。また、射出面５２ｂには、拡散シート（図示せず）が設けられている。この拡散シートは、射出面５２ｂから射出された光を拡散させて、面方向に均一化する。
【００５１】
また、図５に示すように、ＥＶＦＬＣＤ４１には、処理回路５４と、光源駆動部５５と、液晶駆動部５６とが設けられている。処理回路５４は、ディミング制御のための処理を行う。具体的には、処理回路５４は、第２表示制御部３８から入力される映像信号の輝度情報から、映像の平均的な明るさを算出（検出）し、この明るさ情報を光源駆動部５５に入力する。光源駆動部５５は、処理回路５４から入力された明るさ情報に基づいて、光源群５３の光量を制御することにより、バックライト５１の輝度を調整する。具体的には、光源駆動部５５は、映像の明るさが暗いほど、バックライト５１の輝度を下げるように光源群５３を制御する。
【００５２】
また、処理回路５４は、映像信号の輝度情報を、光源群５３の光量の変更量に応じてゲイン補正して液晶駆動部５６に入力する。液晶駆動部５６は、処理回路５４から入力されたゲイン補正後の映像信号に基づいて、液晶パネル５０の各液晶セルの透過率を変更する。具体的には、処理回路５４は、バックライト５１の輝度を下げるように光源群５３の光量を変更した場合に、その光量の変更量に応じて映像信号の輝度を上げるようにゲイン補正を行うことにより、ＥＶＦＬＣＤ４１に表示される画像の明るさを一定とする。これにより、ＥＶＦＬＣＤ４１の省電力化及びコントラストの向上が図られる。
【００５３】
このように、処理回路５４は、特許請求の範囲に記載の明るさ検出部及び映像信号補正部として機能する。
【００５４】
次に、光源駆動部５５による光源群５３の光量制御について説明する。光源群５３は、導光体５２の互いに対向する一方の入射端面５２ａに沿って設けられた３個の光源５３ａ（以下、これらを区別する際に、第１〜第３光源Ｌ１〜Ｌ３と称する）と、他方の入射端面５２ａに沿って設けられた３個の光源５３ａ（以下、これらを区別する際に、第４〜第６光源Ｌ４〜Ｌ６と称する）とで構成されている。
【００５５】
本実施形態では、各光源５３ａは、光源駆動部５５に個別に配線されており、光源駆動部５５によりそれぞれ個別に点灯制御が可能となっている。光源駆動部５５は、駆動パルスを各光源５３ａに供給する。
【００５６】
具体的には、光源駆動部５５は、第１〜第６光源Ｌ１〜Ｌ６から、第１及び第５光源Ｌ１，Ｌ５を第１サブ光源群ＳＬ１とし、第２及び第６光源Ｌ２，Ｌ６を第２サブ光源群ＳＬ２とし、第３及び第４光源Ｌ３，Ｌ４を第３サブ光源群ＳＬ３とする。そして、光源駆動部５５は、図６に示すように、第１〜第３サブ光源群ＳＬ１〜ＳＬ３に対して、それぞれ異なるタイミングで駆動パルスを供給する。
【００５７】
各駆動パルスは、パルス幅Ｗのパルス部分が一定の周期Ｔで繰り返し現れるパルス幅変調（ＰＷＭ）調光信号である。各周期Ｔ内において第１〜第３サブ光源群ＳＬ１〜ＳＬ３に供給される駆動パルスの立ち上り時間（発光開始時間）ｔ１〜ｔ３はそれぞれ異なり、時間Δｔずつずれている。第１〜第３サブ光源群ＳＬ１〜ＳＬ３の各発光時間は、パルス幅Ｗで規定される。
【００５８】
光源駆動部５５は、図７に示すように、各周期Ｔ内における駆動パルスの立ち上り時間ｔ１〜ｔ３を代えずに、パルス幅Ｗを変更（すなわち、デューティ比を変更）することにより、光源群５３の光量を制御する。光源群５３の光量を最大とする場合には、パルス幅Ｗを周期Ｔに一致させる。この場合、第１〜第３サブ光源群ＳＬ１〜ＳＬ３には、ハイレベルの固定信号が駆動信号として入力されることになる。
【００５９】
また、第１〜第３サブ光源群ＳＬ１〜ＳＬ３のそれぞれには、対向配置された２つの光源５３ａの一方のみが含まれており、両方は含まれていない。例えば、第１サブ光源群ＳＬ１には、対向配置された第１及び第４光源Ｌ１，Ｌ４のうちの第１光源Ｌ１が含まれている。これは、対向配置された２つの光源５３ａを同時に発光させた場合には、２つの光源５３ａから射出された光が、導光体５２内のほぼ同一の箇所を照明することになり、導光体５２内の輝度ムラが大きくなるためである。
【００６０】
以上のようにバックライト５１は、光源群５３の発光時に、全ての光源５３ａが同時に発光することなく、第１〜第３サブ光源群ＳＬ１〜ＳＬ３が時間的にずれて順に発光する。このため、バックライト５１の光量を低下させるためにパルス幅Ｗを短くすることにより生じるＥＶＦＬＣＤ４１の表示画像のちらつきは低減される。
【００６１】
次に、デジタルカメラ１１の作用を説明する。まず、ユーザにより、電源ボタン１８が操作されて電源がオン状態になると、デジタルカメラ１１の各部に電源電圧が供給される。ユーザにより、モード選択ダイヤル２０が操作され、動作モードが、静止画撮影モードまたは動画撮影モードに設定され、さらにファインダ切替レバー２１によりＥＶＦモードが設定されると、ＥＶＦＬＣＤ４１に、被写体のライブビュー画像表示が行われる。
【００６２】
このライブビュー画像表示は、主制御部３０が、固体撮像素子３１に、周期的に繰り返し撮像動作を行わせ、固体撮像素子３１から出力される画像データに基づく画像を、第２表示制御部３８がＥＶＦＬＣＤ４１に表示させることにより行われる。
【００６３】
このとき、ＥＶＦＬＣＤ４１内の処理回路５４は、第２表示制御部３８から周期的に入力される映像信号に基づいて、映像の平均的な明るさを算出し、この明るさ情報を光源駆動部５５に入力するとともに、映像信号の輝度情報を、明るさ情報に応じて補正して液晶駆動部５６に入力する。光源駆動部５５は、明るさ情報に基づいて、第１〜第３サブ光源群ＳＬ１〜ＳＬ３に供給する駆動パルスのパルス幅Ｗを制御する。液晶駆動部５６は、輝度情報が補正された映像信号に基づいて液晶パネル５０を駆動する。
【００６４】
したがって、映像信号の明るさが暗い場合には、駆動パルスのパルス幅Ｗを短くすることによりバックライト５１の光量が下げられ、この光量の低下分がゲイン補正された映像信号に基づいて液晶パネル５０に画像表示が行われる。これにより、表示画像の明るさを変えずに、バックライト５１の消費電力が低減される。また、前述のように、バックライト５１の発光時には、第１〜第３サブ光源群ＳＬ１〜ＳＬ３が時間的にずれて順に発光するので、表示画像のちらつきが低減される。
【００６５】
ユーザは、ＥＶＦＬＣＤ４１の表示画像を、ファインダ接眼部１６ｂから覗くことにより、被写体の構図を決定して撮影を行うことができる。例えば、静止画撮影モードの場合に、ユーザによりレリーズボタン１９が半押しされ、全押しされると、固体撮像素子３１により得られた画像データが、デジタル信号処理部３５で圧縮画像データに変換され、メディア制御部３６を介して記録メディア４０に記録される。また、第１表示制御部３７により、画像データに基づく画像が、背面表示部１５に表示される。
【００６６】
なお、上記実施形態では、光源群５３を構成する光源５３ａの数を６個とし、サブ光源群を構成する光源の数を２個としているが、これらの個数は限定されない。Ｍ個の光源からなる光源群から選択されたＮ個の光源をサブ光源群とし、Ｎ個の光源の組み合わせが互いに異なるように複数のサブ光源群を設定すれば良い。ここで、Ｍ，Ｎは正の整数であり、Ｍ＞Ｎの関係である。
【００６７】
上記実施形態では、各サブ光源群に含まれる光源を固定しているが、各サブ光源群は、光源の数が同一であれば良く、各サブ光源群に含まれる光源を時間的に変更しても良い。
【００６８】
上記実施形態では、図５に示すように、各光源５３ａは、光源駆動部５５に個別に配線されているが、図８に示すように、各サブ光源群に含まれる複数の光源５３ａを同一の共通配線に接続したうえで、光源駆動部５５に接続しても良い。
【００６９】
具体的には、第１サブ光源群ＳＬ１に含まれる第１及び第５光源Ｌ１，Ｌ５を、第１共通配線ＣＬ１に接続する。第２サブ光源群ＳＬ２に含まれる第２及び第６光源Ｌ２，Ｌ６を、第２共通配線ＣＬ２に接続する。第３サブ光源群ＳＬ３に含まれる第３及び第４光源Ｌ３，Ｌ４を、第３共通配線ＣＬ３に接続する。そして、第１〜第３共通配線ＣＬ１〜ＣＬ３を光源駆動部５５に接続する。これにより、光源駆動部５５は、各光源５３ａに個別に駆動パルスを供給せずに、サブ光源群の単位で駆動パルスを供給すれば良いので、駆動制御が簡略化される。
【００７０】
さらに、図９に示すように、第１〜第３共通配線ＣＬ１〜ＣＬ３を互いに信号遅延回路８０を介して接続しても良い。具体的には、第１共通配線ＣＬ１を光源駆動部５５に接続し、第２共通配線ＣＬ２を、信号遅延回路８０を介して第１共通配線ＣＬ１に接続する。そして、第２共通配線ＣＬ２を、信号遅延回路８０を介して第３共通配線ＣＬ３に接続する。各信号遅延回路８０は、駆動パルスを、前述の時間Δｔだけ遅延させるものとする。
【００７１】
したがって、光源駆動部５５から第１共通配線ＣＬ１に供給された駆動パルスは、信号遅延回路８０により時間Δｔだけ遅延されて第２共通配線ＣＬ２に供給され、さらに、この遅延された駆動パルスが、信号遅延回路８０により時間Δｔだけ遅延されて第３共通配線ＣＬ３に供給される。このように、光源駆動部５５は、１つの駆動パルスを周期的に発生するだけで、図６に示す時間的にずれた複数の駆動パルスを、第１〜第３サブ光源群ＳＬ１〜ＳＬ３にそれぞれ供給することができる。
【００７２】
上記実施形態では、導光体５２の対向する２つの側部に複数の光源５３ａを配置しているが、一方の側部のみに複数の光源５３ａを配置しても良い。この場合、輝度ムラを低減させるために、各サブ光源群には、隣接する２つの光源５３ａが含まれていないことが好ましい。
【００７３】
例えば、図１０に示すように、導光体５２の一方の入射端面５２ａに沿って４個の光源５３ａ（以下、これらを区別する際に、第１〜第４光源Ｌ１〜Ｌ４と称する）を配置する。１及び第３光源Ｌ１，Ｌ３を第１サブ光源群ＳＬ１とし、第２及び第４光源Ｌ２，Ｌ４を第２サブ光源群ＳＬ２とする。光源駆動部５５は、第１及び第２サブ光源群ＳＬ１，ＳＬ２にそれぞれ異なるタイミングで駆動パルスを供給する。その他の構成は、上記実施形態と同一である。
【００７４】
上記実施形態では、バックライト５１に１つの導光体５２を設けているが、導光体を複数設け、各導光体の輝度を個別に制御するローカルディミング制御を行っても良い。例えば、図１１に示すように、１つの液晶パネル５０の背面側に、３個の導光体５２を設ける。各導光体５２の対向する２つの入射端面５２ａのそれぞれに沿って、３個の光源５３ａを設ける。光源５３ａは、配線を介して光源駆動部５５に接続されている。
【００７５】
ここで、１つの導光体５２の各光源５３ａは、図９に示す例と同様に、サブ光源群毎に共通配線に接続されており、各共通配線は、互いに信号遅延回路８０を介して接続されている。光源駆動部５５には、導光体５２毎に１つの共通配線が接続されている。なお、信号遅延回路８０を設けずに、各共通配線を光源駆動部５５に接続しても良い。また、各光源５３ａを個別に光源駆動部５５に接続しても良い。
【００７６】
光源駆動部５５は、第２表示制御部３８から入力される映像信号の輝度情報から、各導光体５２に対応する領域の明るさを算出し、算出された明るさに基づいて、各導光体５２の光源群の光量を制御する。この光量制御は、上記実施形態と同様に、導光体５２毎に供給する駆動パルスのパルス幅Ｗを変更（デューティ比を変更）することにより行われる。その他の構成は、上記実施形態と同一である。
【００７７】
上記実施形態では、本発明をＥＶＦＬＣＤ４１に適用しているが、背面表示部１５にも適用可能である。また、本発明は、デジタルカメラ以外に、ビデオカメラ、携帯電話機、スマートフォン、ゲーム機等に搭載された液晶表示装置にも適用可能である。さらに、本発明は、パーソナルコンピュータやテレビ等の液晶表示装置にも適用可能である。
【符号の説明】
【００７８】
１１  デジタルカメラ
１６  ファインダ装置
１６ａ  ファインダ窓
１６ｂ  ファインダ接眼部
２１  ファインダ切替レバー
５０  液晶パネル
５１  バックライト
５２  導光体
５２ａ  入射端面
５２ｂ  射出面
５３  光源群
５３ａ  光源
８０  信号遅延回路
【図１】
2015141273.tif 000003
【図２】
2015141273.tif 000004
【図３】
2015141273.tif 000005
【図４】
2015141273.tif 000006
【図５】
2015141273.tif 000007
【図６】
2015141273.tif 000008
【図７】
2015141273.tif 000009
【図８】
2015141273.tif 000010
【図９】
2015141273.tif 000011
【図１０】
2015141273.tif 000012
【図１１】
2015141273.tif 000013
【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
液晶パネルと、
Ｍ個の光源からなる光源群が第１側部とこれに対向する第２側部とに配置された導光体を少なくとも１以上有し、前記液晶パネルに光を照射するバックライトと、
前記光源群から選択された前記Ｍ個より少ない２以上のＮ個の前記光源をサブ光源群とし、前記Ｎ個の光源の組み合わせが互いに異なる複数の前記サブ光源群に対して、それぞれ異なるタイミングで駆動パルスを供給する光源駆動部と、
を備え、
同一の前記サブ光源群に属する前記第１側部の光源と前記第２側部の光源とは正対していない表示装置。
【請求項２】
前記光源駆動部は、前記駆動パルスのパルス幅を変更することにより、前記各サブ光源群の光量を変更する請求項１に記載の表示装置。
【請求項３】
前記液晶パネルに供給される映像信号に基づき映像の明るさを検出する明るさ検出部を備え、
前記光源駆動部は、前記明るさ検出部により検出された前記明るさに応じて、前記光量を変更する請求項２に記載の表示装置。
【請求項４】
前記光源駆動部は、前記映像の明るさが暗いほど、前記光量を低下させる請求項３に記載の表示装置。
【請求項５】
前記光源駆動部は、前記各サブ光源群に対して前記駆動パルスを一定の周期で供給する請求項４記載の表示装置。
【請求項６】
前記光源駆動部は、前記光量を最大とする場合に、前記駆動パルスのパルス幅を前記周期に一致させる請求項５に記載の表示装置。
【請求項７】
前記バックライトには、前記導光体が複数設けられており、
前記明るさ検出部は、前記映像信号に基づいて前記各導光体に対応する領域の明るさを検出し、
前記光源駆動部は、前記明るさ検出部により検出された前記明るさに応じて、前記導光体毎に前記光量を変更する請求項３に記載の表示装置。
【請求項８】
前記映像信号の輝度情報を、前記光量の変更量に応じてゲイン補正する映像信号補正部と、
前記映像信号補正部によりゲイン補正された前記映像信号に基づいて前記液晶パネルを駆動する液晶駆動部と、
を備える請求項３に記載の表示装置。
【請求項９】
前記各サブ光源群に含まれる前記光源は、同一の共通配線に接続されており、
前記光源駆動部は、前記共通配線に前記駆動パルスを供給する請求項１に記載の表示装置。
【請求項１０】
前記各サブ光源群が接続された前記共通配線は、互いに信号遅延回路を介して接続されており、
前記光源駆動部から供給された１つの前記駆動パルスが前記信号遅延回路により遅延されて前記各サブ光源群に供給される請求項９に記載の表示装置。
【請求項１１】
（削除）
【請求項１２】
液晶パネルと、
Ｍ個の光源からなる光源群が１つの側部にのみ配置された導光体を少なくとも１以上有し、前記液晶パネルに光を照射するバックライトと、
前記光源群から選択された前記Ｍ個より少ない２以上のＮ個の前記光源をサブ光源群とし、前記Ｎ個の光源の組み合わせが互いに異なる複数の前記サブ光源群に対して、それぞれ異なるタイミングで駆動パルスを供給する光源駆動部と、
を備え、
前記Ｍ個の光源のうち隣接する２つの前記光源は、同一の前記サブ光源群には含まれていない表示装置。
【請求項１３】
液晶パネルと、
Ｍ個の光源からなる光源群が第１側部とこれに対向する第２側部とに配置された導光体を少なくとも１以上有し、前記液晶パネルに光を照射するバックライトと、
前記光源群から選択された前記Ｍ個より少ない２以上のＮ個の前記光源をサブ光源群とし、前記Ｎ個の光源の組み合わせが互いに異なる複数の前記サブ光源群に対して、それぞれ異なるタイミングで駆動パルスを供給する光源駆動部と、
を備え、
同一の前記サブ光源群に属する前記第１側部の光源と前記第２側部の光源とは正対していないファインダ装置。
【請求項１４】
液晶パネルと、Ｍ個の光源からなる光源群が第１側部とこれに対向する第２側部とに配置された導光体を少なくとも１以上有し、前記液晶パネルに光を照射するバックライトと、前記光源群を駆動する光源駆動部と、を備える表示装置の制御方法において、
前記光源駆動部を制御し、前記光源群から選択された前記Ｍ個より少ない２以上のＮ個の前記光源をサブ光源群とし、前記Ｎ個の光源の組み合わせが互いに異なる複数の前記サブ光源群に対して、それぞれ異なるタイミングで駆動パルスを供給させ、
同一の前記サブ光源群に属する前記第１側部の光源と前記第２側部の光源とは正対していない表示装置の制御方法。
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
液晶パネルと、
複数の光源からなる光源群が第１側部とこれに対向する第２側部とに配置された導光体を少なくとも１以上有し、前記液晶パネルに光を照射するバックライトと、
前記光源群が分けられた複数のサブ光源群のそれぞれに対して設けられ、前記各サブ光源群に含まれる前記光源が共通に接続された共通配線と、
複数の前記共通配線のうち１つが接続され、接続された当該共通配線に駆動パルスを供給する光源駆動部と、
を備え、
前記各サブ光源群は、前記第１側部の光源と前記第２側部の光源とを少なくとも１つずつ含み、かつ、同一の前記サブ光源群に属する前記第１側部の光源と前記第２側部の光源とは正対しておらず、
複数の前記共通配線のうち、前記光源駆動部に接続された前記共通配線以外の前記各共通配線は、１つ又は複数の遅延回路を介して、前記光源駆動部に接続された前記共通配線に接続されており、
前記各サブ光源群は、それぞれ異なるタイミングで前記駆動パルスが供給される表示装置。
【請求項２】
前記光源駆動部は、前記駆動パルスのパルス幅を変更することにより、前記各サブ光源群の光量を変更する請求項１に記載の表示装置。
【請求項３】
前記液晶パネルに供給される映像信号に基づき映像の明るさを検出する明るさ検出部を備え、
前記光源駆動部は、前記明るさ検出部により検出された前記明るさに応じて、前記光量を変更する請求項２に記載の表示装置。
【請求項４】
前記光源駆動部は、前記映像の明るさが暗いほど、前記光量を低下させる請求項３に記載の表示装置。
【請求項５】
前記光源駆動部は、前記各サブ光源群に対して前記駆動パルスを一定の周期で供給する請求項４記載の表示装置。
【請求項６】
前記光源駆動部は、前記光量を最大とする場合に、前記駆動パルスのパルス幅を前記周期に一致させる請求項５に記載の表示装置。
【請求項７】
前記バックライトには、前記導光体が複数設けられており、
前記明るさ検出部は、前記映像信号に基づいて前記各導光体に対応する領域の明るさを検出し、
前記光源駆動部は、前記明るさ検出部により検出された前記明るさに応じて、前記導光体毎に前記光量を変更する請求項３に記載の表示装置。
【請求項８】
前記映像信号の輝度情報を、前記光量の変更量に応じてゲイン補正する映像信号補正部と、
前記映像信号補正部によりゲイン補正された前記映像信号に基づいて前記液晶パネルを駆動する液晶駆動部と、
を備える請求項３に記載の表示装置。
【請求項９】
液晶パネルと、
複数の光源からなる光源群が１つの側部にのみ配置された導光体を少なくとも１以上有し、前記液晶パネルに光を照射するバックライトと、
前記光源群が分けられた複数のサブ光源群のそれぞれに対して設けられ、前記各サブ光源群に含まれる前記光源が共通に接続された共通配線と、
複数の前記共通配線のうち１つが接続され、接続された当該共通配線に駆動パルスを供給する光源駆動部と、
を備え、
前記複数の光源のうち隣接する２つの前記光源は、同一の前記サブ光源群には含まれておらず、
複数の前記共通配線のうち、前記光源駆動部に接続された前記共通配線以外の前記各共通配線は、１つ又は複数の遅延回路を介して、前記光源駆動部に接続された前記共通配線に接続されており、
前記各サブ光源群は、それぞれ異なるタイミングで前記駆動パルスが供給される表示装置。
【請求項１０】
液晶パネルと、
複数の光源からなる光源群が第１側部とこれに対向する第２側部とに配置された導光体を少なくとも１以上有し、前記液晶パネルに光を照射するバックライトと、
前記光源群が分けられた複数のサブ光源群のそれぞれに対して設けられ、前記各サブ光源群に含まれる前記光源が共通に接続された共通配線と、
複数の前記共通配線のうち１つが接続され、接続された当該共通配線に駆動パルスを供給する光源駆動部と、
を備え、
前記各サブ光源群は、前記第１側部の光源と前記第２側部の光源とを少なくとも１つずつ含み、かつ、同一の前記サブ光源群に属する前記第１側部の光源と前記第２側部の光源とは正対しておらず、
複数の前記共通配線のうち、前記光源駆動部に接続された前記共通配線以外の前記各共通配線は、１つ又は複数の遅延回路を介して、前記光源駆動部に接続された前記共通配線に接続されており、
前記各サブ光源群は、それぞれ異なるタイミングで前記駆動パルスが供給されるファインダ装置。
【手続補正３】
【補正対象書類名】明細書
【補正対象項目名】０００９
【補正方法】変更
【補正の内容】
【０００９】
本発明は、バックライトの光量を低下させた場合の表示画像のちらつきを低減することを可能とする表示装置及びファインダ装置を提供することを目的とする。
【手続補正４】
【補正対象書類名】明細書
【補正対象項目名】００１０
【補正方法】変更
【補正の内容】
【００１０】
上記目的を達成するため、本発明の表示装置は、液晶パネルと、複数の光源からなる光源群が第１側部とこれに対向する第２側部とに配置された導光体を少なくとも１以上有し、液晶パネルに光を照射するバックライトと、光源群が分けられた複数のサブ光源群のそれぞれに対して設けられ、各サブ光源群に含まれる光源が共通に接続された共通配線と、複数の共通配線のうち１つが接続され、接続された当該共通配線に駆動パルスを供給する光源駆動部とを備える。各サブ光源群は、第１側部の光源と第２側部の光源とを少なくとも１つずつ含み、かつ、同一のサブ光源群に属する第１側部の光源と第２側部の光源とは正対していない。複数の共通配線のうち、光源駆動部に接続された共通配線以外の各共通配線は、１つ又は複数の遅延回路を介して、光源駆動部に接続された共通配線に接続されている。各サブ光源群は、それぞれ異なるタイミングで駆動パルスが供給される。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
本発明の表示装置は、液晶パネルと、複数の光源からなる光源群が１つの側部にのみ配置された導光体を少なくとも１以上有し、液晶パネルに光を照射するバックライトと、光源群が分けられた複数のサブ光源群のそれぞれに対して設けられ、各サブ光源群に含まれる光源が共通に接続された共通配線と、複数の共通配線のうち１つが接続され、接続された当該共通配線に駆動パルスを供給する光源駆動部とを備える。複数の光源のうち隣接する２つの光源は、同一のサブ光源群には含まれていない。複数の共通配線のうち、光源駆動部に接続された共通配線以外の各共通配線は、１つ又は複数の遅延回路を介して、光源駆動部に接続された共通配線に接続されている。各サブ光源群は、それぞれ異なるタイミングで駆動パルスが供給される。
【手続補正９】
【補正対象書類名】明細書
【補正対象項目名】００２０
【補正方法】変更
【補正の内容】
【００２０】
本発明のファインダ装置は、液晶パネルと、複数の光源からなる光源群が第１側部とこれに対向する第２側部とに配置された導光体を少なくとも１以上有し、液晶パネルに光を照射するバックライトと、光源群が分けられた複数のサブ光源群のそれぞれに対して設けられ、各サブ光源群に含まれる光源が共通に接続された共通配線と、複数の共通配線のうち１つが接続され、接続された当該共通配線に駆動パルスを供給する光源駆動部とを備える。各サブ光源群は、第１側部の光源と第２側部の光源とを少なくとも１つずつ含み、かつ、同一のサブ光源群に属する第１側部の光源と第２側部の光源とは正対していない。複数の共通配線のうち、光源駆動部に接続された共通配線以外の各共通配線は、１つ又は複数の遅延回路を介して、光源駆動部に接続された共通配線に接続されている。各サブ光源群は、それぞれ異なるタイミングで駆動パルスが供給される。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
本発明によれば、バックライトの光量を低下させた場合の表示画像のちらつきを低減することができる。
【国際調査報告】
2015141273.tif 000014
2015141273.tif 000015
2015141273.tif 000016
2015141273.tif 000017